【手続補正書】
【提出日】平成18年2月7日(2006.2.7)
【手続補正１】
【補正対象書類名】明細書
【補正対象項目名】特許請求の範囲
【補正方法】変更
【補正の内容】
【特許請求の範囲】
【請求項１】  地図データを記憶する記憶手段と、上記記憶手段に記憶されている地図データの更新処理内容を示す更新操作情報を取得する情報取得手段と、上記情報取得手段により取得された更新操作情報にしたがって上記記憶手段に記憶されている地図データを更新する更新手段とを備え、
上記更新操作情報が、更新種別を示す更新種別情報と、地図データ内の基準位置を指定する情報と、上記基準位置からのオフセットにより更新箇所を表した更新位置情報とを含むことを特徴とする地図情報処理装置。
【請求項２】  地図データを記憶する記憶手段と、上記記憶手段に記憶されている地図データの更新処理内容を示す更新操作情報を取得する情報取得手段と、上記情報取得手段により取得された更新操作情報にしたがって上記記憶手段に記憶されている地図データを更新する更新手段とを備え、
上記更新操作情報が、更新種別を示す更新種別情報と、地図データ内の更新対象とするデータを示す情報と、上記情報により示されたデータにおける更新箇所をレコード番号により表した更新位置情報とを含むことを特徴とする地図情報処理装置。
【請求項３】  情報取得手段は、上記レコード番号により表された更新箇所のレコード内における、少なくとも１以上の更新位置を示す更新位置情報を含む更新操作情報を取得することを特徴とする請求項２記載の地図情報処理装置。
【請求項４】  情報取得手段は、上記レコード番号により表された更新箇所のレコード内における、各更新箇所の更新種別を示す更新種別情報を含む更新操作情報を取得することを特徴とする請求項３記載の地図情報処理装置。
【請求項５】  更新処理に要する時間により、更新操作情報、上記更新操作情報により更新された地図データのいずれかを格納することを特徴とする請求項１から請求項４のうちのいずれか１項記載の地図情報処理装置。
【請求項６】  地図データを記憶する記憶手段と、上記記憶手段に記憶されている地図データの更新情報を取得する情報取得手段と、上記情報取得手段により取得された更新情報にしたがって上記記憶手段に記憶されている地図データを更新する更新手段とを備えた地図情報処理装置において、上記情報取得手段は、上記記憶手段が一部の領域の版数が他の領域の版数と異なる地図データを記憶している場合、各版における同一ノードの対応関係を示す対応ノード情報を取得することを特徴とする地図情報処理装置。
【請求項７】  情報取得手段は、相互に隣接する領域の版数が異なる場合に限り対応ノード情報を取得するものとして、相互に隣接する領域に存在する同一ノードの対応ノード情報を取得することを特徴とする請求項６記載の地図情報処理装置。
【請求項８】  情報取得手段は、相互に隣接する領域のうち、双方の領域の重複領域に存在する同一ノードの対応ノード情報のみを取得することを特徴とする請求項７記載の地図情報処理装置。
【請求項９】  更新種別を示す更新種別情報と、地図データ内の基準位置を指定する情報と、上記基準位置からのオフセットにより更新箇所を表した更新位置情報とを含む更新操作情報を用いて、記憶している地図データを更新する地図情報処理方法。
【請求項１０】  更新種別を示す更新種別情報と、地図データ内の更新対象とするデータを示す情報と、上記情報により示されたデータにおける更新箇所をレコード番号により表した更新位置情報とを含む更新操作情報を用いて、記憶している地図データを更新する地図情報処理方法。
【請求項１１】  更新操作情報は、上記レコード番号により表された更新箇所のレコード内における、少なくとも１以上の更新位置を示す更新位置情報を含むことを特徴とする請求項１０記載の地図情報処理方法。
【請求項１２】  更新操作情報は、上記レコード番号により表された更新箇所のレコード内における、各更新箇所の更新種別を示す更新種別情報を含む更新操作情報を取得することを特徴とする請求項１１記載の地図情報処理装置。
【請求項１３】  更新処理に要する時間により、更新操作情報、上記更新操作情報により更新された地図データのいずれかを格納することを特徴とする請求項９から請求項１２のうちのいずれか１項記載の地図情報処理方法。
【請求項１４】  記憶している地図データの更新情報を取得し、その更新情報にしたがって上記地図データを更新する地図情報処理方法において、一部の領域の版数が他の領域の版数と異なる地図データを記憶している場合、各版における同一ノードの対応関係を示す対応ノード情報を取得することを特徴とする地図情報処理方法。
【請求項１５】  相互に隣接する領域の版数が異なる場合に限り対応ノード情報を取得するものとして、相互に隣接する領域に存在する同一ノードの対応ノード情報を取得することを特徴とする請求項１４記載の地図情報処理方法。
【請求項１６】  相互に隣接する領域のうち、双方の領域の重複領域に存在する同一ノードの対応ノード情報のみを取得することを特徴とする請求項１５記載の地図情報処理方法。
【手続補正２】
【補正対象書類名】明細書
【補正対象項目名】００１０
【補正方法】変更
【補正の内容】
【００１０】
【課題を解決するための手段】
この発明に係る地図情報処理装置は、記憶手段に記憶されている地図データの更新処理内容を示す更新操作情報を取得する情報取得手段と、その情報取得手段により取得された更新操作情報にしたがって記憶手段に記憶されている地図データを更新する更新手段とを設け、その更新操作情報が、更新種別を示す更新種別情報と、地図データ内の基準位置を指定する情報と、その基準位置からのオフセットにより更新箇所を表した更新位置情報とを含むようにしたものである。
【手続補正３】
【補正対象書類名】明細書
【補正対象項目名】００１１
【補正方法】変更
【補正の内容】
【００１１】
この発明に係る地図情報処理装置は、記憶手段に記憶されている地図データの更新処理内容を示す更新操作情報を取得する情報取得手段と、その情報取得手段により取得された更新操作情報にしたがって記憶手段に記憶されている地図データを更新する更新手段とを設け、その更新操作情報が、更新種別を示す更新種別情報と、地図データ内の更新対象とするデータを示す情報と、その情報により示されたデータにおける更新箇所をレコード番号により表した更新位置情報とを含むようにしたものである。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
この発明に係る地図情報処理装置は、情報取得手段がレコード番号により表された更新箇所のレコード内における、少なくとも１以上の更新位置を示す更新位置情報を含む更新操作情報を取得するようにしたものである。
【手続補正６】
【補正対象書類名】明細書
【補正対象項目名】００１４
【補正方法】変更
【補正の内容】
【００１４】
この発明に係る地図情報処理装置は、情報取得手段がレコード番号により表された更新箇所のレコード内における、各更新箇所の更新種別を示す更新種別情報を含む更新操作情報を取得するようにしたものである。
【手続補正７】
【補正対象書類名】明細書
【補正対象項目名】００１５
【補正方法】変更
【補正の内容】
【００１５】
この発明に係る地図情報処理装置は、更新処理に要する時間により、更新操作情報、その更新操作情報により更新された地図データのいずれかを格納するようにしたものである。
【手続補正８】
【補正対象書類名】明細書
【補正対象項目名】００１６
【補正方法】削除
【補正の内容】
【手続補正９】
【補正対象書類名】明細書
【補正対象項目名】００２０
【補正方法】変更
【補正の内容】
【００２０】
この発明に係る地図情報処理方法は、更新種別を示す更新種別情報と、地図データ内の基準位置を指定する情報と、その基準位置からのオフセットにより更新箇所を表した更新位置情報とを含む更新操作情報を用いて、記憶している地図データを更新するようにしたものである。
【手続補正１０】
【補正対象書類名】明細書
【補正対象項目名】００２１
【補正方法】変更
【補正の内容】
【００２１】
この発明に係る地図情報処理方法は、更新種別を示す更新種別情報と、地図データ内の基準位置を指定する情報と、その基準位置からのオフセットにより更新箇所を表した更新位置情報とを含む更新操作情報を用いて、記憶している地図データを更新地図データの更新処理内容を示す更新操作情報を取得し、その更新操作情報にしたがって地図データを更新するようにしたものである。
【手続補正１１】
【補正対象書類名】明細書
【補正対象項目名】００２２
【補正方法】変更
【補正の内容】
【００２２】
この発明に係る地図情報処理方法は、更新操作情報がそのレコード番号により表された更新箇所のレコード内における、少なくとも１以上の更新位置を示す更新位置情報を含むようにしたものである。
【手続補正１２】
【補正対象書類名】明細書
【補正対象項目名】００２３
【補正方法】変更
【補正の内容】
【００２３】
この発明に係る地図情報処理装置は、更新操作情報がそのレコード番号により表された更新箇所のレコード内における、各更新箇所の更新種別を示す更新種別情報を含む更新操作情報を取得するようにしたものである。
【手続補正１３】
【補正対象書類名】明細書
【補正対象項目名】００２４
【補正方法】変更
【補正の内容】
【００２４】
この発明に係る地図情報処理方法は、更新処理に要する時間により、更新操作情報、その更新操作情報により更新された地図データのいずれかを格納するようにしたものである。
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】０１１７
【補正方法】変更
【補正の内容】
【０１１７】
ステップＳＴ６２では、ステップＳＴ１８で更新された地図データを地図データ処理装置１５内の地図バッファに格納するとともに、格納した地図データに対応する地図管理レコードの地図データ有無情報を有りに設定し、地図データ位置情報に地図データの所在を設定する。
ステップＳＴ６３では、ステップＳＴ１５で取得した更新操作情報の格納の要否を判定するものであり、ステップＳＴ１８の更新処理に要した時間が所定値以上であれば格納が不要と判定しステップＳＴ６４へ進み、そうでなければ格納は不要としてステップＳＴ１９へ進む。
【手続補正１７】
【補正対象書類名】明細書
【補正対象項目名】０１５０
【補正方法】変更
【補正の内容】
【０１５０】
【発明の効果】
以上のように、この発明によれば、記憶手段に記憶されている地図データの更新処理内容を示す更新操作情報を取得する情報取得手段と、その情報取得手段により取得された更新操作情報にしたがって記憶手段に記憶されている地図データを更新する更新手段とを設け、その更新操作情報が、更新種別を示す更新種別情報と、地図データ内の標準位置を指定する情報と、その基準位置からのオフセットにより更新箇所を表した更新位置情報とを含むように構成したので、迅速に地図データを更新することができる効果及び速やかに更新箇所を把握することができる効果がある。
【手続補正１８】
【補正対象書類名】明細書
【補正対象項目名】０１５１
【補正方法】変更
【補正の内容】
【０１５１】
この発明によれば、記憶手段に記憶されている地図データの更新処理内容を示す更新操作情報を取得する情報取得手段と、その情報取得手段により取得された更新操作情報にしたがって記憶手段に記憶されている地図データを更新する更新手段とを設け、その更新操作情報が、更新種別を示す更新種別情報と、地図データ内の更新対象とするデータを示す情報と、その情報により示されたデータにおける更新箇所をレコード番号により表した更新位置情報とを含むように構成したので、迅速に地図データを更新することができる効果及び速やかに更新箇所を把握することができる効果がある
【手続補正１９】
【補正対象書類名】明細書
【補正対象項目名】０１５２
【補正方法】削除
【補正の内容】
【手続補正２０】
【補正対象書類名】明細書
【補正対象項目名】０１５３
【補正方法】変更
【補正の内容】
【０１５３】
この発明によれば、情報取得手段がレコード番号により表された更新箇所のレコード内における、少なくとも１以上の更新位置を示す更新位置情報を含む更新操作情報を取得するように構成したので、レコード内の一部のデータを更新することができる効果がある。
【手続補正２１】
【補正対象書類名】明細書
【補正対象項目名】０１５４
【補正方法】変更
【補正の内容】
【０１５４】
この発明によれば、情報取得手段がレコード番号により表された更新箇所のレコード内における、各更新箇所の更新種別を示す更新種別情報を含む更新操作情報を取得するように構成したので、同一レコード内において、種類の異なる更新を一度に複数行うことができる効果がある。
【手続補正２２】
【補正対象書類名】明細書
【補正対象項目名】０１５５
【補正方法】変更
【補正の内容】
【０１５５】
この発明によれば、更新処理に要する時間により、更新操作情報、その更新操作情報により更新された地図データのいずれかを格納するように構成したので、更新地図データの再取得処理を迅速に行うことができる効果がある。
【手続補正２３】
【補正対象書類名】明細書
【補正対象項目名】０１５６
【補正方法】削除
【補正の内容】
【手続補正２４】
【補正対象書類名】明細書
【補正対象項目名】０１６０
【補正方法】変更
【補正の内容】
【０１６０】
この発明によれば、更新種別を示す更新種別情報と、地図データ内の基準位置を指定する情報と、その基準位置からのオフセットにより更新箇所を表した更新位置情報とを含む更新操作情報を用いて、記憶している地図データを更新するように構成したので、迅速に地図データを更新することができる効果がある。
【手続補正２５】
【補正対象書類名】明細書
【補正対象項目名】０１６１
【補正方法】変更
【補正の内容】
【０１６１】
この発明によれば、更新種別を示す更新種別情報と、地図データ内の基準位置を指定する情報と、その基準位置からのオフセットにより更新箇所を表した更新位置情報とを含む更新操作情報を用いて、記憶している地図データを更新地図データの更新処理内容を示す更新操作情報を取得し、その更新操作情報にしたがって地図データを更新するように構成したので、迅速に地図データを更新することができる効果がある。
【手続補正２６】
【補正対象書類名】明細書
【補正対象項目名】０１６２
【補正方法】変更
【補正の内容】
【０１６２】
この発明によれば、更新操作情報がそのレコード番号により表された更新箇所のレコード内における、少なくとも１以上の更新位置を示す更新位置情報を含むように構成したので、レコード内の一部のデータを更新することができる効果がある。
【手続補正２７】
【補正対象書類名】明細書
【補正対象項目名】０１６３
【補正方法】変更
【補正の内容】
【０１６３】
この発明によれば、更新操作情報がそのレコード番号により表された更新箇所のレコード内における、各更新箇所の更新種別を示す更新種別情報を含む更新操作情報を取得するように構成したので、同一レコード内において、種類の異なる更新を一度に複数行うことができる効果がある。
【手続補正２８】
【補正対象書類名】明細書
【補正対象項目名】０１６４
【補正方法】変更
【補正の内容】
【０１６４】
この発明によれば、更新処理に要する時間により、更新操作情報、その更新操作情報により更新された地図データのいずれかを格納するように構成したので、更新地図データの再取得処理を迅速に行うことができる効果がある。
【手続補正２９】
【補正対象書類名】明細書
【補正対象項目名】０１６５
【補正方法】削除
【補正の内容】
【手続補正３０】
【補正対象書類名】明細書
【補正対象項目名】０１６６
【補正方法】削除
【補正の内容】